(57)【特許請求の範囲】
【請求項１】
底壁に孔と該底壁の裏面に凹凸部を有する基体と、内部が空洞をなし端部に割部を設けた筒部と鍔部とを有する合成樹脂から成る回転可能な軸と、前記筒部を挿通する孔と該孔内に位置する折り曲げ部と前記凹凸部に係合する凸部を設けた板バネとを備え、前記基体の表面と前記鍔部の何れか一方には摺動子が設けられ、他方には前記摺動子が摺接する接点、或いは抵抗体等の電気素子が設けられると共に、前記板バネは、リング状をなし、環状の溝を設けて外環部と内環部とを形成し、前記外環部には前記凸部を設けると共に、前記内環部には、前記軸の軸方向に延びる前記折り曲げ部が設けられ、前記底壁の前記孔に挿通された前記軸の前記割部に前記板バネの前記折り曲げ部を嵌合させ、前記筒部の先端を広げて該筒部に前記板バネを固着し、前記板バネと前記鍔部との間に前記底壁を位置させて、前記軸と前記板バネを前記基体に取り付けると共に、前記板バネの前記折り曲げ部を前記基体の前記孔内に位置する前記割部内に係止して前記板バネを前記軸に対して回り止めして保持したことを特徴とする回転型電気部品。
【発明の詳細な説明】
【０００１】
【発明の属する技術分野】
本発明は、パルススイッチ、可変抵抗器等の回転型電気部品に係り、特に、軸の基体への取付構造に関する。
【０００２】
【従来の技術】
従来のこの種の回転型電気部品は、図７ー図９に示すように、合成樹脂から成る軸３０には、鍔部３１と円筒部３２を設け、鍔部３１には、摺動子３３を固着している。
また、絶縁基板３４には、抵抗体３５と導電体３６とが形成され、絶縁基板３４の裏面に、導電体３６に導通する端子３７と抵抗体３５に導通する一対の端子３８とが取り付けられている。
そして、絶縁基板３４の孔３４ａに軸３０の円筒部３２を挿通し、円筒部３２の端部を加熱された治具（図示せず）で広げて、軸３０を絶縁基板３４に回転可能に取り付け、軸３０の回転により、摺動子３３を抵抗体３５と導電体３６に摺動させて、抵抗値の調整を行うようになっている。
【０００３】
【発明が解決しようとする課題】
従来の回転型電気部品においては、軸３０に円筒部３２を設け、円筒部３２の全周を広げるようにしたものであるため、円筒部３２は、広げられた際、亀裂を生じ、強度が弱くなるばかりか、この亀裂部が回転時、絶縁基板３４に接して、軸３０の回転を悪くするものであった。
また、広げられた円筒部３２は、全周において、元に戻ろうとする応力が働き、軸３０の絶縁基板３４への取付強度が弱いという問題があり、特に、高温の環境下においてこの問題が顕著である。
また、円筒部３２は、軸３０を絶縁基板３４に取り付けるためのものであり、軸３０に節度を持たせるためのクリック機構を付加する場合、そのクリック機構を軸３０の前面部に設けることとなり、その構成が複雑で大型となると言う問題がある。
【０００４】
【課題を解決するための手段】
上記課題を解決するための解決手段として、底壁に孔と該底壁の裏面に凹凸部を有する基体と、内部が空洞をなし端部に割部を設けた筒部と鍔部とを有する合成樹脂から成る回転可能な軸と、前記筒部を挿通する孔と該孔内に位置する折り曲げ部と前記凹凸部に係合する凸部を設けた板バネとを備え、前記基体の表面と前記鍔部の何れか一方には摺動子が設けられ、他方には前記摺動子が摺接する接点、或いは抵抗体等の電気素子が設けられると共に、前記板バネは、リング状をなし、環状の溝を設けて外環部と内環部とを形成し、前記外環部には前記凸部を設けると共に、前記内環部には、前記軸の軸方向に延びる前記折り曲げ部が設けられ、前記底壁の前記孔に挿通された前記軸の前記割部に前記板バネの前記折り曲げ部を嵌合させ、前記筒部の先端を広げて該筒部に前記板バネを固着し、前記板バネと前記鍔部との間に前記底壁を位置させて、前記軸と前記板バネを前記基体に取り付けると共に、前記板バネの前記折り曲げ部を前記基体の前記孔内に位置する前記割部内に係止して前記板バネを前記軸に対して回り止めして保持した構成とした。
【０００５】
【発明の実施の形態】
本発明における回転型電気部品の一実施例を、図１ー図６に基づいて説明する。
図１ー図６に示すものは、回転型電気部品の一つであるパルススイッチであって、合成樹脂の成型品から成る基体１は、円形の孔１ａを有する底壁１ｂと、凹部１ｃを有する側壁１ｄと、前記底壁１ｂの裏面において、孔１ａの周囲に設けられた凹凸部１ｅとを有している。
また、基体１には、底壁１ｂの上面に一部が露出し、また、一部が側壁１ｄから外部に突出するように、薄い金属板から成る複数の導電板２が埋設されている。
そして、底壁１ｂ上面に露出した部分は接点２ａ、側壁１ｄから突出した部分は端部がく字状に折り曲げられた端子部２ｂと成っている。
【０００６】
また、導電板２は、図４ー図６に示すように、フープ材から成る薄い金属板を打ち抜きして、接点２ａと端子部２ｂを形づけ、図４において、端子部２ｂと成る基部Ｋ１の長手方向の折り曲げ線ＡとＢにおいて、基部Ｋ１の両側部Ｋ２，Ｋ３を、基部Ｋ１に重なるように同一面側に折り曲げることによって、図５に示すような導電板２を形成する。
これによって、端子部２ｂの強度を大きくし、プリント基板の孔（図示せず）への挿入と、スナップ止めを確実にしている。
そして、このような状態において、この導電板２を、合成樹脂の基体１に、接点２ａが底壁１ｂ上に露出し、端子部２ｂの根本部が基体１内に位置するように埋設されて、図６に示すような部材を作り、連結部Ｒを基体１から切断することによって、基体１が形成される。
このように、端子部２ｂの根本部が基体１に埋設されることによって、更に、端子部２ｂの強度を上げることが出来る。
【０００７】
また、合成樹脂から成り、内部が空洞をなした軸３は、円形状の鍔部３ａと、先端に一対の割部３ｂを有する筒部３ｃと、鍔部３ａ内に設けられた突起３ｄとを備え、また、金属板から成る摺動子４は、切り起こしされて形成された接片４ａと、孔４ｂとを有し、この摺動子４は、軸３の突起３ｄを孔４ｂに挿通して、突起３ｄの先端をカシメて、軸３に取り付けられている。
そして、軸３は、摺動子４を底壁１ｂ上の接点２ａに対向させ、且つ、鍔部３ａが凹部１ｃに位置する状態で、筒部３ｃが基体１の孔１ａに挿通されている。
【０００８】
また、金属板、プラスチック等から成るリング状の板バネ５は、環状の溝５ａを設けて外環部５ｂと内環部５ｃとを形成し、その外環部５ｂには凸部５ｄを設けると共に、内環部５ｃには軸３方向の一対の折り曲げ部５ｅが、孔５ｆに位置するように設けられている。
そして、この板バネ５は、折り曲げ部５ｅを軸３の割部３ｂに位置させて、回転方向の回り止めがなされ、また、孔５ｆ内に軸３の筒部３ｃを挿通し、筒部３ｃの端部を加熱された治具（図示せず）で外方に広げ、広げられた部分で内環部５ｃの一面に係止し、内環部５ｃの他面を基体１の裏面に当接して、板バネ５と軸３が基体１に取り付けられる。
【０００９】
そして、取り付けられた際は、図１に示すように、摺動子４の接片４ａは、導電板２の接点２ａに接触し、また、板バネ５の凸部５ｄが基体１の裏面に設けられた凹凸部１ｅに当接した状態となってクリック部が形成されている。
そして、このような回転型電気部品は、く字状の端子部２ｂをプリント基板（図示せず）にスナップインされて取り付けられ、その端部を配線パターンに半田付けして固着される。
軸３を回転すると、摺動子４が導電板２の接点２ａ上を摺動して、所望のパルス信号を得ると共に、板バネ５は基体１の裏面に摺接しながら軸３と共に回転し、凸部５ｄが凹凸部１ｅ上を摺接して、軸３にクリック動作を行わしめている。
【００１０】
上述の実施例では、摺動子が接点に摺接するもので説明したが、接点、或いは抵抗体などの電気素子に、摺動子を摺接するものであれば良く、また、クリック部を設けたもので説明したが、クリック部のないものでも良い。
【００１１】
【発明の効果】
本発明の回転型電気部品によれば、基体に合成樹脂製の軸の円筒部端部を広げて固定する構造において、円筒部の先端に割部を設け、円筒部端部の広がった部分と基体との間にクリック用の板バネを挟持するようにしたので、かしめ部に亀裂を生じることが無く、かしめ部の亀裂が基体と摺動すること、あるいは亀裂に伴なってかしめ部の強度が低下するのを防止でき、また、板バネが基体の裏面に当接するようになるため、軸回転のすべりが良く、円滑な軸の回転を得ることが出来る。
また、軸は、板バネを介して基体に保持されているため、広げられた円筒部が高温の環境下で元に戻ろうとする応力が生じたとしても、板バネがこの戻りによる緩みを無くし、取り付け強度が弱くなるのを防止できる。
また、板バネに、クリック用の凸部と、軸と共回りするための係止部となる折り曲げ部を設けたので、板バネの位置決めを、基体の孔内に位置する軸の割部で兼用することができ、コンパクトで且つ確実に、軸とクリック用の凸部を設けた板バネを、軸とともに共回り可能に保持できる。
【図面の簡単な説明】
【図１】本発明の回転型電気部品の断面図。
【図２】本発明の回転型電気部品の分解斜視図。
【図３】本発明の回転型電気部品に係り、軸の要部斜視図。
【図４】本発明の回転型電気部品に係り、端子部の形成方法を示す説明図。
【図５】本発明の回転型電気部品に係り、端子部の形成方法を示す説明図。
【図６】本発明の回転型電気部品に係り、端子部の形成方法を示す説明図。
【図７】従来の回転型電気部品の断面図。
【図８】従来の回転型電気部品の斜視図。
【図９】従来の回転型電気部品の軸の斜視図。
【符号の説明】
１  基体
１ａ  孔
１ｂ  底壁
１ｃ  凹部
１ｄ  側壁
１ｅ  凹凸部
２  導電板
２ａ  接点
２ｂ  端子部
３  軸
３ａ  鍔部
３ｂ  割部
３ｃ  筒部
３ｄ  突起
４  摺動子
４ａ  接片
４ｂ  孔
５  板バネ
５ａ  溝
５ｂ  外環部
５ｃ  内環部
５ｄ  凸部
５ｅ  折り曲げ部
５ｆ  孔
【図１】
0003677362.tif 000002
【図２】
0003677362.tif 000003
【図３】
0003677362.tif 000004
【図４】
0003677362.tif 000005
【図５】
0003677362.tif 000006
【図６】
0003677362.tif 000007
【図７】
0003677362.tif 000008
【図８】
0003677362.tif 000009
【図９】
0003677362.tif 000010